(57)【要約】      （修正有）【課題】モバイル通信装置を充電・保護できる拡張装置、その保護ケース及びスマートフォン保護ケースを提供する。【解決手段】拡張装置２０はモバイル通信装置を保護する保護ケースに適用される。保護ケースはモバイル電源１０と組み合わせる。モバイル電源１０は識別ユニットを備える。拡張装置２０は、本体２００、変換ユニット２１０、フレキシブル回路基板ＦＰ、処理ユニット２２０及び記憶ユニット２３０を備える。記憶ユニット２３０は、少なくとも一つの識別コードデータを格納する。保護ケースとモバイル電源１０が組み合わせられた際、処理ユニット２２０は、識別ユニットがＴｒｕｅ識別コードを備えるかどうかを判断し、Ｔｒｕｅ識別コードを備えていないと判断する場合、モバイル電源１０が電力の供給を停止するようにコントロールし、Ｔｒｕｅ識別コードを備えていると判断する場合、モバイル電源１０が電力の供給を開始するようにコントロールする。【選択図】図１
0003204464.tif 000002
【実用新案登録請求の範囲】
【請求項１】
識別ユニットを備えるモバイル電源と組み合わせることでスマートフォン保護ケースとなるようにモバイル通信装置を保護する保護ケースに適用される拡張装置であって、
本体と、
前記本体内に設置される変換ユニットと、
前記変換ユニットに電気的に接続され、前記本体から外に向けて延伸されるフレキシブル回路基板と、
前記本体内に設置され、前記変換ユニットと電気的に接続される処理ユニットと、
少なくとも一つの識別コードデータを格納しており、前記本体内に設置され、前記処理ユニットと電気的に接続される記憶ユニットと、
を備え、
前記保護ケースと前記モバイル電源が組み合わせられた際、前記処理ユニットは、前記少なくとも一つの識別コードデータに基づいて、前記識別ユニットがＴｒｕｅ識別コードを備えるかどうかを判断し、
Ｔｒｕｅ識別コードを備えていないと判断する場合、前記処理ユニットは前記モバイル電源が電力の供給を停止するようにコントロールし、
Ｔｒｕｅ識別コードを備えていると判断する場合、前記処理ユニットは前記モバイル電源が電力の供給を開始するようにコントロールすることを特徴とする拡張装置。
【請求項２】
前記本体は出力インターフェイス及び外部電源インターフェイスを備え、
前記外部電源インターフェイスは商用電源を受電し、
前記変換ユニットは前記商用電源を第一電力及び第二電力に変換し、
前記第一電力は前記出力インターフェイスから出力され、前記第二電力は前記フレキシブル回路基板から伝送されることを特徴とする請求項１に記載の拡張装置。
【請求項３】
前記変換ユニットは前記出力インターフェイス及び前記外部電源インターフェイスに電気的に接続され、
前記変換ユニットは、変換素子と、電圧安定化素子と、変圧素子と、を含み、
前記変換素子は前記外部電源インターフェイス及び前記電圧安定化素子に電気的に接続され、
前記変圧素子は前記出力インターフェイス及び前記フレキシブル回路基板に電気的に接続されることを特徴とする請求項２に記載の拡張装置。
【請求項４】
前記変換ユニットは、制御素子と、前記制御素子に電気的に接続されるスイッチ素子と、を更に含み、
前記スイッチ素子は前記変圧素子と前記フレキシブル回路基板との間に電気的に接続され、
前記制御素子は前記電圧安定化素子又は前記変圧素子に電気的に接続され、
前記制御素子は前記スイッチ素子のオン・オフを制御することを特徴とする請求項３に記載の拡張装置。
【請求項５】
前記拡張装置は電源プラグを更に含み、
前記電源プラグは前記商用電源と前記外部電源インターフェイスとの間に電気的に接続され、
前記電源プラグは交流−直流変換回路を有し、
前記変換素子は直流−直流変換回路であり、
前記電圧安定化素子は電圧安定化回路であり、
前記変圧素子は変圧回路であることを特徴とする請求項３に記載の拡張装置。
【請求項６】
前記直流−直流変換回路は昇圧回路、降圧回路、昇降圧回路のうちの少なくとも一つの又はその組み合わせであることを特徴とする請求項５に記載の拡張装置。
【請求項７】
前記変換素子は交流−直流変換回路であり、
前記電圧安定化素子は電圧安定化回路であり、
前記変圧素子は変圧回路であることを特徴とする請求項３に記載の拡張装置。
【請求項８】
前記拡張装置は拡充モジュールを更に含み、
前記拡充モジュールは少なくとも一つの外部設備のデータを前記モバイル通信装置に伝送することを特徴とする請求項１に記載の拡張装置。
【請求項９】
識別ユニットを備えるモバイル電源と組み合わせることでスマートフォン保護ケースとなるようにモバイル通信装置を保護する保護ケースであって、
前記モバイル通信装置を収容する収容部と、
前記収容部の外側に設置される請求項１に記載の拡張装置と、を含むことを特徴とする保護ケース。
【請求項１０】
前記保護ケースは底部を更に含み、
前記底部は前記保護ケースの外カバーであり、
前記フレキシブル回路基板は、前記外カバー内に第一接続部まで延伸され、その末端が前記第一接続部に電気的に接続され、
前記第一接続部は前記モバイル電源装置に電気的に接続されることを特徴とする請求項９に記載の保護ケース。
【請求項１１】
前記拡張装置の前記本体と前記収容部とは一体化され、前記出力インターフェイスは前記収容部の内側に設置され、
前記外部電源インターフェイスは前記収容部の外側に設置されることを特徴とする請求項９に記載の保護ケース。
【請求項１２】
モバイル通信装置を保護するスマートフォン保護ケースであって、
前記モバイル通信装置を収容する収容部と第一接続部とを有する保護ケースと、
前記保護ケースと組み合わせるモバイル電源と、
前記収容部の外側に設置される請求項１に記載の拡張装置と、
を含むことを特徴とするスマートフォン保護ケース。
【請求項１３】
前記モバイル電源は、
カバー部と、第二接続部と、前記カバー部と前記第二接続部との間に接続される折り畳み部と、を有するカバー板モジュールと、
前記カバー板モジュールに設置される電源モジュールと、
を備え、
前記カバー板モジュールは前記保護ケースと組み合わせることを特徴とする請求項１２に記載のスマートフォン保護ケース。
【考案の詳細な説明】
【技術分野】
【０００１】
本考案は、拡張装置、その保護ケース及びスマートフォン保護ケースに関するものであり、特にモバイル通信装置に適用される拡張装置、その保護ケース及びスマートフォン保護ケースに関するものである。
【背景技術】
【０００２】
市販されているモバイル電源は主に、モバイル電源の本体内に設置されたバッテリー及び制御回路基板と、本体に配置された少なくとも一つのＵＳＢ（ユニバーサルシリアルバス）伝送インターフェースとからなる。充電する際、バッテリー内に蓄積された電気エネルギーが制御回路基板によって適正の電圧と電流に変換され、ＵＳＢ伝送インターフェースを介して使用者のモバイル装置に提供される。スマートフォン及びタブレット等のモバイル装置に関する市場が大きく成長を続けることに伴い、モバイル装置もマルチコアとディスプレーの大型化に向けて発展するため、電力の消費量は明らかに増大すると共に、ここ数年、市場におけるモバイル電源に対する需要も刺激されて大きく成長するであろう。
【０００３】
しかしながら、スマートフォンもタブレットも、このようなモバイル電源を使用するために、別に用意された電力を伝送する電力伝送線が必要となる。また、電力が使い終わった時、このようなモバイル電源は別に用意された充電コンバーターによって電力を補充する。即ち、外出の際、使用者はモバイル電源と、電力伝送線と、充電コンバーターとを一緒に持ち歩く必要があり、使用する際の面倒さと持ち歩く際の不便さとがある。
【考案の概要】
【考案が解決しようとする課題】
【０００４】
保護カバーのようなモバイル電源を保護ケースと組み合わせるように設計することによって、モバイル通信装置を充電・保護できる拡張装置、その保護ケース及びスマートフォン保護ケースを提供する。
【課題を解決するための手段】
【０００５】
本考案の拡張装置はモバイル通信装置を保護する保護ケースに適用される。保護ケースはモバイル電源と組み合わせることでスマートフォン保護ケースとなる。モバイル電源は識別ユニットを備える。拡張装置は、本体と、本体内に設置される変換ユニットと、変換ユニットに電気的に接続され、本体から外に向けて延伸されるフレキシブル回路基板と、本体内に設置され、変換ユニットと電気的に接続される処理ユニットと、なくとも一つの識別コードデータを格納しており、本体内に設置され、前記処理ユニットと電気的に接続される記憶ユニットと、を備える。保護ケースとモバイル電源が組み合わせられた際、処理ユニットは、少なくとも一つの識別コードデータに基づいて、識別ユニットがＴｒｕｅ識別コードを備えるかどうかを判断する。Ｔｒｕｅ識別コードを備えていないと判断する場合、処理ユニットはモバイル電源が電力の供給を停止するようにコントロールする。Ｔｒｕｅ識別コードを備えていると判断する場合、処理ユニットはモバイル電源が電力の供給を開始するようにコントロールする。
【０００６】
本考案の保護ケースはモバイル通信装置を保護する。保護ケースはモバイル電源と組み合わせることでスマートフォン保護ケースとなる。モバイル電源は識別ユニットを備える。保護ケースは、モバイル通信装置を収容する収容部と、収容部の外側に設置される拡張装置と、を含む。
【０００７】
本考案のスマートフォン保護ケースは、モバイル通信装置を保護する。スマートフォン保護ケースは、モバイル通信装置を収容する収容部と第一接続部とを有する保護ケースと、保護ケースと組み合わせるモバイル電源と、収容部の外側に設置される拡張装置と、を含む。
【考案の効果】
【０００８】
本考案の具体な実施形態は、拡張装置、その保護ケース若しくはスマートフォン保護ケースを利用し、保護カバーのようなモバイル電源を保護ケースと組み合わせるように設計することによって、スマートフォンが保護ケースによって覆われることになり、カバー板モジュール内のバッテリーユニットによってモバイル通信装置に対して充電が行なわれる。本考案は拡張装置、その保護ケース及びスマートフォン保護ケースの操作利便性、効率、品質を確実に向上する効果を有する。
【図面の簡単な説明】
【０００９】
【図１】本考案に係る実施例における拡張装置の模式図である。
【図２】図１を基にしている本考案に係る他の実施例におけるスマートフォン保護ケースの模式図である。
【図３】本考案に係る他の実施例におけるスマートフォン保護ケースの機能ブロック図である。
【図４】本考案に係る他の実施例におけるスマートフォン保護ケースの模式図である。
【考案を実施するための形態】
【００１０】
図１は本考案に係る実施例における拡張装置の模式図である。図１に示されたように、拡張装置２０が保護ケース（図示せず）に適用される。保護ケースはモバイル通信装置９を保護する。保護ケースはモバイル電源１０と組み合わせることでスマートフォン保護ケース１となる。説明の便宜上、本実施例におけるモバイル電源１０はスマートフォン保護ケース１の保護カバー板を一例として挙げて説明するが、他の実施例では、モバイル電源１０は一般の市販品、公式製品、又はライセンス生産品であってもよい。本実施例によって、モバイル電源１０の態様は制限されない。
【００１１】
モバイル電源１０は識別ユニットＩＤを含む。モバイル電源１０の識別ユニットＩＤは識別チップ、識別バーコード、識別回路又は識別ファームウェアによって実現される。識別ユニットＩＤはモバイル電源１０の商品識別コード、電池識別コード、製造識別コード又はその他の識別コードを含む。上記識別コードが無線ＲＦ技術又は有線回路による信号伝送ルートによって拡張装置２０に伝送されることによって、拡張装置２０は上記識別コードが本物かどうかを判断できる。
【００１２】
説明の便宜上、本実施例の拡張装置２０内の記憶ユニット２３０に格納された少なくとも一つの識別コードデータによって上記識別コードが本物かどうかを判断する。即ち、上記識別コードが記憶ユニット２３０に格納された少なくとも一つの識別コードデータと一致する場合、処理ユニット２２０はモバイル電源１０がＴｒｕｅ識別コードを備えていると判断し、処理ユニット２２０はモバイル電源１０が電力の供給を開始するようにコントロールする。これに対して、上記識別コードが記憶ユニット２３０に格納された少なくとも一つの識別コードデータと一致しない場合、処理ユニット２２０はモバイル電源１０がＴｒｕｅ識別コードを備えていないと判断し、処理ユニット２２０はモバイル電源１０が電力の供給を停止するようにコントロールする。本実施例によって、拡張装置２０の態様は制限されない。
【００１３】
拡張装置２０は、本体２００と、変換ユニット２１０と、フレキシブル回路基板ＦＰと、処理ユニット２２０と、記憶ユニット２３０とを含む。拡張装置２０はウルトラボックス（Ｕｌｔｒａ  Ｂｏｘ）である。拡張装置２０はモバイル電源１０が本物かどうかを認識できるプラットホームとする。また、拡張装置２０はフレキシブル回路基板ＦＰを介して電力を出力できる。フレキシブル回路基板ＦＰは本体２００から外に延伸する。また、拡張装置２０は外部電源がモバイル通信装置に供給される際のプラットホームとすることも可能である。拡張装置２０の態様は本実施例によって制限されない。
【００１４】
本体２００は出力インターフェイス２００２及び外部電源インターフェイス２００４を含む。出力インターフェイス２００２はモバイル通信装置に電気的に接続され、外部電源インターフェイス２００４は外部電源に電気的に接続される。出力インターフェイス２００２は電源接続ポート又はＵＳＢ接続ポートであり、モバイル通信装置の電力伝送ソケット、充電ソケット又は充電器と電気的に接続される。そして、外部電源インターフェイス２００４は電源接続ポートに接続されることによって、商用電源である外部電源に電気的に接続される。即ち、商用電源は外部電源インターフェイス２００４を介して変換ユニット２１０に入り、変換ユニット２１０によって変換された後、出力インターフェイス２００２によって電力をモバイル通信装置に出力する。
【００１５】
変換ユニット２１０は本体２００内に設置され、出力インターフェイス２００２及び外部電源インターフェイス２００４に電気的に接続される。変換ユニット２１０は、交流−直流変換回路又は直流−直流変換回路のいずれか一つ又はその組み合わせによって実現される。変換ユニット２１０の態樣が本実施例によって制限されない。
【００１６】
フレキシブル回路基板ＦＰは変換ユニット２１０に電気的に接続され、本体２００から外に延伸される。外部電源インターフェイス２００４は商用電源を受電し、変換ユニット２１０は商用電源を第一電力及び第二電力に変換し、出力インターフェイス２００２から第一電力を出力し、そしてフレキシブル回路基板ＦＰから第二電力を伝送する。
【００１７】
拡張装置２０は外部電源インターフェイス２００４を介して１１０Ｖ（ボルト）などの交流電力を受電する。電源プラグは商用電源と外部電源インターフェイス２００４との間に電気的に接続される。電源プラグは交流−直流変換回路の回路構成を備えることによって、直流電力を電源プラグから拡張装置２０に伝送する。直流電力は外部電源インターフェイス２００４から入る。変換ユニット２１０は直流−直流変換回路であり、直流電力をモバイル通信装置用電力として使用できる第一電力に変換し、この第一電力をモバイル通信装置に伝送する。また、変換ユニット２１０は直流電力をモバイル電源装置１０用の電力として使用できる第二電力に変換し、フレキシブル回路基板ＦＰを介してこの第二電力を伝送する。
【００１８】
他の実施例において、電源プラグは交流−直流変換回路である回路構成を備えていない。交流電力は外部電源インターフェイス２００４から入れられる。変換ユニット２１０は交流−直流変換回路であるため、交流電力を直流電力に変換して直流電力に対して整流、電圧安定化及び変圧などの処理作業を行う。従って、変換ユニット２１０は出力インターフェイス２００２を介して第一電力を出力し、フレキシブル回路基板ＦＰを介して第二電力を伝送する。拡張装置２０の実施態様は本実施例によって制限されない。
【００１９】
処理ユニット２２０は本体２００内に設置され、変換ユニット２１０に電気的に接続される。処理ユニット２２０はプロセッサ、マイクロプロセッサ、半導体素子の制御回路、処理回路又は判断回路によって実現される。処理ユニット２２０の態様は本実施例によって制限されない。
【００２０】
記憶ユニット２３０は本体２００内に設置され、処理ユニット２２０に電気的に接続される。記憶ユニット２３０に少なくとも一つの識別コードデータが格納されている。記憶ユニット２３０は不揮発性メモリ、揮発性メモリ、ＳＤカードおよびフラッシュメモリーのいずれか又はその組み合わせである。記憶ユニット２３０の態樣は本実施例によって制限されない。
【００２１】
記憶ユニット２３０には、一つ又は複数の識別コードデータが格納されている。識別コードデータは一次元バーコード（１Ｄ  Ｂａｒｃｏｄｅ）、二次元バーコード（２Ｄ  Ｂａｒｃｏｄｅ）、三次元バーコード（３Ｄ  Ｂａｒｃｏｄｅ）、公式又はライセンス社カスタマイズの識別コード、あるいは他の識別コードデータである。複数の識別コードデータは識別コードデータベースを形成できる。識別コードデータの態樣は本実施例によって制限されない。
【００２２】
保護ケースとモバイル電源１０とを組み合わせた際、処理ユニット２２０は少なくとも一つの識別コードデータに基づいて、識別ユニットＩＤがＴｒｕｅ識別コードであるかどうかを判断する。Ｔｒｕｅ識別コードではないと判断する場合、処理ユニット２２０はモバイル電源１０が給電を停止するようにコントロールする。Ｔｒｕｅ識別コードであると判断する場合、処理ユニット２２０はモバイル電源１０が給電を開始するようにコントロールする。即ち、処理ユニット２２０は判断の結果に基づいて、モバイル電源１０が給電を開始する状態又は給電を停止する状態のいずれになるようにコントロールする。上記判断の結果は、少なくとも一つの識別コードデータとモバイル電源１０の識別ユニットＩＤとの照合結果に基づいて判断される。
【００２３】
図２は図１を基にしている本考案に係る他の実施例におけるスマートフォン保護ケースの模式図である。図２及び図１に示されたように、スマートフォン保護ケース１はモバイル通信装置９を保護する。スマートフォン保護ケース１は、保護ケースと、モバイル電源１０と、拡張装置２０とを含む。保護ケースは、収容部２０１及び第一接続部Ｃ１を含む。収容部２０１はモバイル通信装置を収容する。モバイル電源１０は保護ケースと組み合わせる。拡張装置２０は収容部２０１の外側に設置される。
【００２４】
説明の便宜上、本実施例の保護ケースと拡張装置２０とは一体化するように設計されたものとする。他の実施例において、保護ケースと拡張装置２０は組み合わせ可能又は取り外し可能のように設計されたものであってもよい。保護ケースと拡張装置２０の態樣は本実施例によって制限されない。
【００２５】
モバイル通信装置は取り外し可能のように収容部２０１に配置される。モバイル通信装置はスマートフォン、タブレット又はパーソナル・デジタル・アシスタント（ＰＤＡ）などであってもよい。説明の便宜上、本実施例のモバイル通信装置はスマートフォンを例として説明する。モバイル通信装置の態樣は本実施例によって制限されない。
【００２６】
保護ケースはモバイル電源１０と組み合わせることによってスマートフォン保護ケース１となる。保護ケースは、底板部２０３と、収容部２０１と、第一接続部Ｃ１と、を含む。第一接続部Ｃ１は底板部２０３に設置される。収容部２０１は底板部２０３に接続される。保護ケースはスマートフォン保護ケース１のカバーケースである。収容部２０１はスマートフォンを収容する。スマートフォンの型態に応じて、収容部２０１にはカメラレンズ用開口部構造、スマートフォンポタン用開口部構造、充電用開口部構造又はその他の開口部構造が配置されている。保護ケースの態様は本実施例によって制限されない。
【００２７】
底板部２０３は保護ケースの外カバーである。フレキシブル回路基板ＦＰは外カバー内において第一接続部Ｃ１に延伸される。フレキシブル回路基板ＦＰの末端は第一接続部Ｃ１に電気的に接続される。他の実施例において、第一接続部Ｃ１は収容部２０１の外側の任意箇所に設置されてもよい。こうすることによって、モバイル電源１０は収容部２０１と組み合わせることによって保護カバー板を備えたスマートフォン保護ケース１となる。当業者にとって、第一接続部Ｃ１の配置位置は自由に設計できるものである。
【００２８】
第二接続部Ｃ２は第一接続部Ｃ１に電気的に接続される。本実施例の第二接続部Ｃ２と第一接続部Ｃ１はそれぞれマグネット付着部材を備える。第二接続部Ｃ２と第一接続部Ｃ１のそれぞれはマグネット付着結合に対応する電気接続ポートである。第二接続部Ｃ２は通電される際に第一接続部Ｃ１と互いに引き付け合うための磁力を生成するための磁石である。他の実施例において、第二接続部Ｃ２はデータ及び（又は）電力を伝送するための接続ポートであってもよい。第二接続部Ｃ２と第一接続部Ｃ１の態樣は本実施例によって制限されない。
【００２９】
第二接続部Ｃ２と第一接続部Ｃ１とは係合、挿入、マグネット付着又はその他の方式によって接続できる。第二接続部Ｃ２と第一接続部Ｃ１が電気的に接続されると、電源モジュール１０２の電力は第二接続部Ｃ２と第一接続部Ｃ１を介してスマートフォンに伝送される。即ち、第二接続部Ｃ２と第一接続部Ｃ１を組み合わせた後、電源モジュール１０２はスマートフォンに対して給電できる。
【００３０】
収容部２０１は出力インターフェイス２００２及び外部電源インターフェイス２００４を備える。収容部２０１の内側に出力インターフェイス２００２が設置され、収容部２０１の外側に外部電源インターフェイス２００４が設置される。フレキシブル回路基板ＦＰは出力インターフェイス２００２に電気的に接続される。フレキシブル回路基板ＦＰは第一接続部Ｃ１と出力インターフェイス２００２との間に電気的に接続されることによって、第一接続部Ｃ１からスマートフォンへの電力伝送経路が構成される。従って、保護カバー板のようなモバイル電源１０と保護ケースとを組み合わせた後、モバイル電源１０はスマートフォンに対して給電できる。
【００３１】
使用者は外部電源インターフェイス２００４によって商用電源を電気的に接続させ、商用電源をスマートフォン及びモバイル電源１０のいずれか又はその組み合わせに適用できる電力に変換させることによって、スマートフォン及びモバイル電源１０のいずれか又はその組み合わせに対して充電を行う。要するに、本実施例のスマートフォン保護ケース１はスマートフォン及びモバイル電源１０のいずれ又はその組み合わせを同時に充電できる。
【００３２】
モバイル電源１０は、カバー板モジュール１００及び電源モジュール１０２を含む。カバー板モジュール１００はカバー部１００２と、折りたたみ部１００４と、第二接続部Ｃ２とを有する。折りたたみ部１００４はカバー部１００２と第二接続部Ｃ２との間に接続される。カバー板モジュール１００はスマートフォン保護ケース１の上カバー板であり、スマートフォンのタッチ面あるいはディスプレイ面を覆う。カバー板モジュール１００の態樣は本実施例によって制限されない。
【００３３】
折りたたみ部１００４は幅Ｗ１を有する。幅Ｗ１はスマートフォンの厚さ（図示せず）より大きいものとする。カバー部１００２はスマートフォンのタッチ面又はディスプレイ面を覆う。カバー部１００２の面積は折りたたみ部１００４の面積よりも大きい。折りたたみ部１００４はカバー部１００２と保護ケースとの間を接続するヒンジ構造又は折りたたみ構造である。第二接続部Ｃ２は保護ケースと組み合わせ又は接続するための接続構造である。カバー部１００２、折りたたみ部１００４及び第二接続部Ｃ２の態樣は本実施例によって制限されない。
【００３４】
カバー部１００２は折りたたみ部１００４で回転して収容部２０１を覆う。カバー部１００２はカバー収容部２０１を覆い、折りたたみ部１００４で回転して保護カバー位置に移動する。保護カバー位置はカバー部１００２が収容部２０１に対向する対向位置である。また、カバー板モジュール１００は保護ケースと組み合わせる。カバー板モジュール１００は保護ケースと組み合わせると、保護カバー板を備えたスマートフォン保護ケース１になる。
【００３５】
即ち、カバー部１００２がスマートフォンのタッチ面を覆う場合、折りたたみ部１００４はスマートフォンの側辺に配置され、且つ折りたたみ部１００４の幅Ｗ１（図２の水平？態のように）はスマートフォンの厚さよりも大きい。カバー部１００２がスマートフォンのタッチ面を覆わず、このタッチ面が露出される場合、保護ケースから延伸されてカバー部１００２に接続されている折りたたみ部１００４で、カバー部１００２を保護ケースに対向する位置から回転させる。即ち、カバー部１００２は折りたたみ部１００４によってスマートフォンのタッチ面を覆ったり・露出させたりする。
【００３６】
なお、カバー板モジュール１００及び保護ケースのそれぞれはナノマテリアル材料、環境保護対応材料、プラスチック材料、皮革、布、紙、金属又は他の鉱物材料のいずれかからなる。カバー板モジュール１００及保護ケースは埃、衝撃、衝突、傷や擦り傷、水、を防止する効果及び衝撃吸収等の効果を奏する。埃、汚れがスマホスマートフォンの挿入孔又は接続ポートに入ることはなくなり、そのため埃がたまることによって挿入孔又は接続ポートが壊れることが回避される。
【００３７】
カバー板モジュール１００は保護ケースと組み合わせることでスマートフォン用のスマートフォン保護ケース１となる。電源モジュール１０２はカバー板モジュール１００に配置され、第一接続部Ｃ１及び第二接続部Ｃ２の組み合わせによって、スマートフォンに対して電力を提供する。従って、スマートフォン保護ケース１はスマートフォンに対して充電できる。
【００３８】
カバー板モジュール１００と保護ケースとは分離され、かつ接続されていない状態において、カバー板モジュール１００自体は独立したモバイル電源として運用できる。カバー板モジュール１００と保護ケースとは接続されている状態において、カバー板モジュール１００をスマートフォンの保護カバーとすることも可能である。カバー板モジュール１００と保護ケースはスマートフォンを覆い隠し、あるいはスマートフォンのタッチ面を露出させる。電源モジュール１０２からの充電電力は第二接続部Ｃ２と第一接続部Ｃ１を介してスマートフォンに伝送される。従って、カバー板モジュール１００はスマートフォンのモバイル電源（Ｐｏｗｅｒ  Ｂａｎｋ）となる。
【００３９】
本実施例において,「カバー板モジュール１００と保護ケースを組み合わせた後、保護カバー板を備えたスマートフォン保護ケース１となる」ことを一例として説明するが、そのほかの実施例において、カバー板モジュール１００と保護ケースを分離不可能にすることも可能である。即ち、カバー板モジュール１００と保護ケースは一体的な設計のスマートフォン保護ケースであっても良い。あるいは、カバー板モジュール１００と保護ケースは分解不可能なスマートフォン保護ケースであっても良い。本実施例によって、カバー板モジュール１００と保護ケースの態様は制限されない。
【００４０】
電源モジュール１０２はカバー板モジュール１００に設置される。電源モジュール１０２はカバー部１００２に設置される。電源モジュール１０２は電力の出力又は受け取りをする。電源モジュール１０２は少なくとも一つのバッテリーによって実現される。少なくとも一つのバッテリーは変換回路と、スイッチ回路および制御回路のいずれか又はその組み合わせと組み合わせることができる。本実施例によって、電源モジュール１０２の態樣は制限されない。
【００４１】
図３は本考案に係る他の実施例におけるスマートフォン保護ケースの機能ブロック図である。図３に示されたように、図３には保護ケース、モバイル電源１０およびモバイル通信装置９が示されている。モバイル電源１０の電源モジュール１０２は、識別ユニットＩＤ、バッテリーユニット１０２０、転換ユニット１０２２、スイッチユニット１０２４及び制御ユニット１０２６を含む。バッテリーユニット１０２０はカバー部１００２に設置される。転換ユニット１０２２はバッテリーユニット１０２０と、制御ユニット１０２６と、スイッチユニット１０２４とに電気的に接続される。スイッチユニット１０２４は第二接続部Ｃ２に電気的に接続される。
【００４２】
識別ユニットＩＤは識別チップである。識別ユニットＩＤはバッテリーユニット１０２０に電気的に接続され、あるいはバッテリーユニット１０２０内の回路やファームウェアに搭載される。即ち、電源モジュール１０２が識別コードを備えることによって、処理ユニット２２０は記憶ユニット２３０内の識別コードデータに基づいて、モバイル電源１０の真偽を判明することができる。処理ユニット２２０は、モバイル電源１０がＴｒｕｅ識別コードを備えていると判明した際に、モバイル電源１０の給電を開始させる。逆に、処理ユニット２２０は、モバイル電源１０がＴｒｕｅ識別コードを備えていないと判明した際に、モバイル電源１０の給電をオフさせる。
【００４３】
そして、バッテリーユニット１０２０は、リチウム電池、ニッケル水素電池、ニッケルカドミウム電池又は他のバッテリーによって実現される。転換ユニット１０２２は直流−直流変換器であり、直流昇圧回路、直流降圧回路又は直流昇降圧回路のいずれかによって実現される。制御ユニット１０２６は、半導体素子の制御回路、処理回路、判断回路又はスイッチ回路によって実現される。スイッチユニット１０２４は少なくとも一つのトランジスタであり、制御ユニット１０２６はスイッチユニット１０２４のオン・オフを制御できる。即ち、制御ユニット１０２６はバッテリーユニット１０２０と第二接続部Ｃ２の間の給電回路のオン・オフを制御できる。本実施例によって、バッテリーユニット１０２０、転換ユニット１０２２、スイッチユニット１０２４及び制御ユニット１０２６の態樣は制限されない。
【００４４】
また、他の実施例において、電源モジュール１０２は保護ユニット（図示せず）を更に含んでもよい。保護ユニットは、電圧安定化回路、フィルター回路、過充電保護回路、過電流保護回路又は過電圧保護回路によって実現される。技術を熟知している者は、保護ユニット及び電源モジュール１０２を自由に設計することができる。
【００４５】
本実施例において、電源モジュール１０２の動作はスマートフォン保護ケース１の組み立て前と組み立て後によって分かれる。スマートフォン保護ケース１の組み立て前においては、モバイル電源１０と保護ケースはそれぞれ独立の単体である。第二接続部Ｃ２と第一接続部Ｃ１は未接続であり、使用者がモバイル電源１０だけ使う場合は、外部電源使って第二接続部Ｃ２を介してバッテリーユニット１０２０を充電できる。制御ユニット１０２６は外部電源がバッテリーユニット１０２０の電力仕様に合うと判断した場合、制御ユニット１０２６は第二接続部Ｃ２とバッテリーユニット１０２０の間の充電回路のオンをコントロールする。
【００４６】
スマートフォン保護ケース１の組み立てた後においては、モバイル電源１０と保護ケースは同時動作するスマートフォン保護ケース１として組み立てられている。第二接続部Ｃ２と第一接続部Ｃ１が接続された後、電源モジュール１０２の動作はスマートフォン保護ケース１が外部電源に接続済みか否かによって分かれる。即ち、保護ケースの外部電源インターフェイス２００４は外部電源に電気的に接続済みか否かによって、電源モジュール１０２の動作が分かれる。
【００４７】
外部電源インターフェイス２００４が外部電源に電気的に接続されていない場合、第二接続部Ｃ２から第一接続部Ｃ１および変換ユニット２１０を介した出力インターフェイス２００２への給電回路がオンとなり、バッテリーユニット１０２０はスマートフォンに対して充電を行うようになる。その他、当業者はスマートフォン保護ケース１にボタンスイッチ（図示せず）又は切り替えスイッチ（図示せず）を設置してもよい。第二接続部Ｃ２と第一接続部Ｃ１が接続された後、使用者がボタンスイッチや切り替えスイッチを押すことによって、バッテリーユニット１０２０はスマートフォン対して充電を行う。本実施例によって、電源モジュール１０２の運用態樣は制限されない。
【００４８】
外部電源インターフェイス２００４が外部電源に電気的に接続された場合、外部電源インターフェイス２００４と出力インターフェイス２００２の間の給電回路がオンとなり、外部電源が変換ユニット２１０によって変換および電圧安定化されて、スマートフォンに給電し、及び（又は）外部電源インターフェイス２００４と第一接続部Ｃ１の間の給電回路がオンになって、外部電源が変換ユニット２１０によって変換および電圧安定化して、バッテリーユニット１０２０に給電する。即ち、外部電源は外部電源インターフェイス２００４によってスマートフォン及バッテリーユニット１０２０のいずれ又はその組み合わせに対して充電を行う。
【００４９】
すなわち、使用者がカバー板モジュール１００中のバッテリーユニット１０２０だけを使う場合は、カバー板モジュール１００は単体のモバイル電源として使うことは可能であり、外部電源によって直接バッテリーユニット１０２０に充電作業を行うことも可能である。使用者が保護ケースだけ使う場合は、外部電源によって直接スマートフォンに対して充電を行う。カバー板モジュール１００と保護ケースとを組み合わせた後、使用者は外部電源によってスマートフォンおよびバッテリーユニット１０２０のいずれか又はその組み合わせに対して充電を行う。あるいはバッテリーユニット１０２０がスマートフォンに対して充電を行う。本実施例によって、スマートフォン保護ケース１の運用態樣は制限されない。
【００５０】
図４は本考案に係る他の実施例におけるスマートフォン保護ケースの模式図である。図４に示されたように、本実施例は上記の実施例において図３のスマートフォン保護ケース１に似ている。しかしスマートフォン保護ケース１ａとスマートフォン保護ケース１には違いがある。それは保護ケースが拡張モジュール２４０を含むことである。拡張モジュール２４０は変換ユニット２１０に電気的に接続される。保護ケースは拡張モジュール２４０によって外部装置ＰＤ１、ＰＤ２と通信する。外部装置ＰＤ１、ＰＤ２はスポーツバンド、ウェアラブルデバイス、ノートパソコン、血圧計測機器、ランニングマシン、スマート冷蔵庫、スマート家電およびほかの装置である。本実施例によって、外部装置ＰＤ１、ＰＤ２の態様は制限されない。
【００５１】
即ち、保護ケースは拡張モジュール２４０によって外部装置ＰＤ１、ＰＤ２が記録した生理的データ、動作データ、使用状況データ等を取り入れる。また、保護ケースは上記生理的データと、動作データおよび使用状況データ等をスマートフォンに伝送する。又は上記生理的データ、動作データ、使用状況データ等を内蔵のメモリに保存する。本実施例によって、保護ケースの態様は制限されない。
【００５２】
特に、拡張モジュール２４０は少なくとも一つのウェアラブルデバイスやスマート家電のデータをスマートフォンに伝送する。拡張モジュール２４０は無線通信素子によって、外部装置ＰＤ１、ＰＤ２と無線通信する、又は有線通信素子によって外部装置ＰＤ１、ＰＤ２と有線通信する。拡張モジュール２４０はＷｉ−Ｆｉ通信装置、ｂｌｕｅｔｏｏｔｈ通信装置およびその他の通信装置によって外部装置ＰＤ１、ＰＤ２と通信する。
【００５３】
拡張モジュール２４０はウェアラブルデバイスとスマートフォンに通信し、ウェアラブルデバイスに格納された個人情報をスマートフォンに読み取りさせる。即ち、拡張モジュール２４０は外部装置ＰＤ１、ＰＤ２及びモバイル通信装置９の間の通信中継点。本実施例によって、拡張モジュール２４０の態様は制限されない。
【００５４】
拡張モジュール２４０は使用者識別ユニット（俗にいうｓｉｍカード）および制御チップによって、ソフトウェアやハードウェア、又はそのほかのアクセサリーからの拡張装置となり、スマートデバイス制御モジュールを加え、ソフトウェアを交換することにより、スマート家電、健康管理、無線充電、セキュリティシステムなどに使用される。
【００５５】
たとえば使用者は外部装置ＰＤ１によって毎日の運動量および睡眠品質を記録する。外部装置ＰＤ１の運動データと睡眠品質データは無線通信素子によって、無線通信で記憶ユニット２３０に伝送する。故に、記憶ユニット２３０には使用者の運動データと睡眠品質データが格納されている。運動データと睡眠品質データはモバイル通信装置９に伝送することができる。又は使用者がモバイル通信装置９によって、拡張モジュール２４０の記憶ユニット２３０中の運動データと睡眠品質データを読み取れる。
【００５６】
変換ユニット２１０は、変換素子２１０２と、電圧安定化素子２１０４と、変圧素子２１０６と、制御素子２１０８と、制御素子２１０８に電気的に接続されるスイッチ素子２１１０とを含む。変換素子２１０２が外部電源インターフェイス２００４及び電圧安定化素子２１０４に電気的に接続され、変圧素子２１０６が出力インターフェイス２００２及びフレキシブル回路基板ＦＰに電気的に接続される。スイッチ素子２１１０が変圧素子２１０６とフレキシブル回路基板ＦＰとの間に電気的に接続される。制御素子２１０８は電圧安定化素子２１０４又は変圧素子２１０６と電気的に接続し、スイッチ素子２１１０のオン・オフを制御する。
【００５７】
制御素子２１０８は半導体素子の制御回路、処理回路又は判断回路の何れかによって実現する。制御素子２１０８の態様は本実施例によって制限されない。制御素子２１０８の動作電源は電圧安定化素子２１０４からのものである。他の実施例では、制御素子２１０８の動作電源は変圧素子２１０６からのものでもよい。当業者にとって、制御素子２１０８は自由に設計できるものである。
【００５８】
また、本実施例は電源プラグ４０を更に含む。電源プラグ４０は商用電源と外部電源インターフェイス２００４との間に電気的に接続される。電源プラグ４０は交流−直流変換回路を備える。変換素子２１０２は直流−直流変換回路であり、直流昇圧回路、直流降圧回路又は直流昇降圧回路のいずれかによって実現される。電圧安定化素子２１０４は電圧安定化回路又はフィルター回路である。変圧素子２１０６は変圧回路である。他の実施例では、変換素子２１０２は交流−直流変換回路であり、交流電力を直流電力に変換するためのものである。変換素子２１０２、電圧安定化素子２１０４及び変圧素子２１０６の態様は本実施例によって制限されない。
【００５９】
また、変換ユニット２１０は保護素子を更に含む（図示せず）。保護素子は過充電保護回路、過電流保護回路又は過電圧保護回路によって実現される。保護素子の態様は本実施例によって制限されない。
【００６０】
保護ケースは商用交流電力等の外部電源に電気的に接続される。外部電源は電源プラグ４０及び外部電源インターフェイス２００４を介して変換ユニット２１０に入る。変換素子２１０２は交流電力を直流電力に変換する。直流電力は電圧安定化素子２１０４によって電圧安定化されて変圧素子２１０６に伝送される。直流電力は出力インターフェイス２００２を介してスマートフォンに出力される。なお、直流電力は第一接続部Ｃ１を介してモバイル電源１０に出力されてもよい。
【００６１】
また、他の実施例では、変換ユニット２１０はバッテリー（図示せず）を更に含むようにしても良い。バッテリーは電力を格納して拡張モジュール２４０に給電する。さらに他の実施例では、変換ユニット２１０はバッテリーを含んでおらず、モバイル電源１０又は外部電源を変換して拡張モジュール２４０に給電してもよい。変換ユニット２１０の態様は本実施例によって制限されない。上記相異点以外にも、当業者によって成された本実施例の操作部分に係る変更も前記実施例とは実質的に等価的なものであり、ここでその詳細を省略する。
【００６２】
上記のように、本考案の具体的な実施形態において、拡張装置、その保護ケース及びスマートフォン保護ケースについてそれぞれ説明した。使用者はカバー板モジュール内のバッテリーユニットを単体で使用する際、カバー板モジュールをモバイル電源として単体で使用することが可能である。使用者は保護ケースを単体で使用する際、外部電源によってモバイル通信装置に対して直接的に充電を行うことが可能である。カバー板モジュールを保護ケースと組み合わせることでスマートフォン保護ケースとなった後、使用者は外部電源によってモバイル通信装置及びバッテリーユニットに対して直接的に充電を行え、又はバッテリーユニットによってスマートフォンに対して充電を行える。また、カバー板モジュール内のバッテリーユニットによって、長期且つ安定的にモバイル通信装置に対して電力を供給することが可能となり、過熱・破損等の問題を回避できるため、使用者はモバイル通信装置を用いて通話・ネットサーフィン・ゲームする際に安心感を得る。従って、本考案は拡張装置、その保護ケース及びスマートフォン保護ケースの操作利便性、効率と品質を確実に向状する効果を奏する。
【００６３】
以上は本考案の好ましい実施例に過ぎず、本考案の実用新案登録請求の範囲を制限するものではない。
【符号の説明】
【００６４】
１、１ａ：スマートフォン保護ケース
９：モバイル通信装置
１０：モバイル電源
１００：カバー板モジュール
１００２：カバー部
１００４：折りたたみ部
１０２：電源モジュール
１０２０：バッテリーユニット
１０２２：転換ユニット
１０２４：スイッチユニット
１０２６：制御ユニット
２０、２０ａ：拡張装置
２００：本体
２０１：収容部
２００２：出力インターフェイス
２００４：外部電源インターフェイス
２０３：底板部
２１０：変換ユニット
２１０２：変換素子
２１０４：電圧安定化素子
２１０６：変圧素子
２１０８：制御素子
２１１０：スイッチ素子
２２０：処理ユニット
２３０：記憶ユニット
２４０：拡張モジュール
４０：電源プラグ
Ｃ１：第一接続部
Ｃ２：第二接続部
ＩＤ：識別ユニット
Ｗ１：幅
ＦＰ：フレキシブル回路基板
ＰＤ１、ＰＤ２：外部装置
【図１】
0003204464.tif 000003
【図２】
0003204464.tif 000004
【図３】
0003204464.tif 000005
【図４】
0003204464.tif 000006